(57)【要約】【課題】単相誘導モータを使用するポンプを搭載した食器洗い乾燥機では、入力される商用電源の電圧変動がある場合にポンプモータの水圧、流量が安定しないため、運転時間を同じとしても洗浄度に差が発生するという課題があった。【解決手段】制御手段１１は、単相誘導モータ２４に入力される商用電源電圧を洗浄開始後の単相誘導モータ２４が動作開始した後に電圧検出手段１２が入力電圧を計測し、定格電圧との比較をおこない、高低に応じた長さの洗浄運転時間を設定する。【選択図】図１
2010142321.tif 000002
【特許請求の範囲】
【請求項１】
食器を収納する洗浄槽と、加圧水を洗浄槽内に供給するポンプと、ポンプを駆動する単相誘導モータと、乾燥をおこなう乾燥手段とを有し、洗浄槽内に設けられたノズルから温水または供給水を加圧、噴射して食器の洗浄、すすぎをおこない、乾燥手段で乾燥をおこなう食器洗い乾燥機において、単相誘導モータに入力される商用電源電圧を検出する電圧検出手段と、洗浄開始後、前記単相誘導モータが動作開始した後に前記電圧検出手段が入力電圧を計測し、定格電圧との比較で高低に応じて、あらかじめ設定している洗浄運転時間を、前記検出電圧が低いほど長めに、前記検出電圧が高いほど短めに、所定の時間に設定する制御手段とを備えたことを特徴とする食器洗い乾燥機。
【請求項２】
食器を収納する洗浄槽と、加圧水を洗浄槽内に供給するポンプと、ポンプを駆動する単相誘導モータと、乾燥をおこなう乾燥手段とを有し、洗浄槽内に設けられたノズルから温水または供給水を加圧、噴射して食器の洗浄、すすぎをおこない、乾燥手段で乾燥をおこなう食器洗い乾燥機において、単相誘導モータに入力される商用電源電圧を検出する電圧検出手段と、単相誘導モータの回転数を検出する回転数検出手段と、洗浄開始後、前記単相誘導モータが動作開始した後に前記電圧検出手段が入力電圧を計測し、定格電圧との比較で一定電圧以下の場合に、前記回転数検出手段が単相誘導モータの回転数を計測し、前記検出回転数が定格回転数より低い場合に、あらかじめ設定している洗浄運転時間を長めに、所定の時間に設定する制御手段を備えたことを特徴とする食器洗い乾燥機。
【請求項３】
前記電圧検出手段が、商用電源の周波数を検出する周波数検出手段を備え、前記周波数検出手段で５０Ｈｚか６０Ｈｚであるかを判定し、低い周波数の場合に洗浄運転時間をさらに長めに、制御手段で所定の時間に設定するようにした請求項１または２に記載の食器洗い乾燥機。
【請求項４】
前記電圧検出手段で計測する電圧を洗浄運転中に定期的におこなう定期検出手段を備え、前記定期検出手段の計測電圧が変動する場合に、計測電圧の最小電圧値を電圧検出手段の電圧値として制御手段で所定の時間に設定するようにした請求項１から３のいずれか一項に記載の食器洗い乾燥機。
【請求項５】
制御手段が洗浄運転時間を所定の時間に設定した際に、設定時間の変更を通知する表示をおこなう通知手段を備えたことを特徴とする請求項１から４のいずれか一項に記載の食器洗い乾燥機。
【請求項６】
通知手段が、洗浄の残時間と延長時間を交互に表示する切換表示手段を備えたことを特徴とする請求項５に記載の食器洗い乾燥機。
【発明の詳細な説明】
【技術分野】
【０００１】
本発明は、食器洗い乾燥機の洗浄時において入力される電源電圧による加圧水の水圧、水量、洗浄度合いを考慮した洗浄時間を可変する食器洗い乾燥機に関するものである。
【背景技術】
【０００２】
従来の食器洗い機では、洗浄に使用する給水温度が低いほど洗浄時間を短くし、給水温度が高いほど長くする。給水温度を洗浄工程のスタート時に計測し、その温度の高低に応じて洗浄時間を変更することで、給水を一定温度に達するまでの時間と洗浄時間との合計時間を最適化することで消費電力を抑制するようにしていた。
【０００３】
例えば、温度検知手段で洗浄開始時の水温を検知し、その検知水温の高低に応じて、あらかじめ設定してある規定水温到達後の洗浄継続運転時間を、前記検知水温が低いほど短めに、前記検知水温が高いほど長めに、所定の時間に設定する制御手段を備えた食器洗い機がある（例えば、特許文献１参照）。
【０００４】
図４において、食器洗い機の運転時間の設定を表した図で、給水温度は、洗浄工程スタート時における水温を示し、規定水温までの時間は、ヒータによる水温の規定温度までの温度上昇時間を示し、継続運転時間は、給水温度が規定値に到達してからの洗浄継続時間を示している。給水温度毎にヒータによる規定温度上昇までの所要時間をｔ１、ｔ２、ｔ３、ｔ４、ｔ５とし、規定温度後の継続運転時間をα１、α２、α３、α４、α５として、その大小関係は、ｔ１＞ｔ２＞ｔ３＞ｔ４＞ｔ５、α１＜α２＜α３＜α４＜α５となることを示している。
【０００５】
また、図５において、運転時間を横軸、給水温度を縦軸にした洗浄開始から水温が規定温度に達するまでの時間とその後の運転継続時間を示している。
【０００６】
以下に、その動作について説明する。
【０００７】
水温５℃の給水を洗浄開始時に温度検知手段で検出した際、例えばヒータによる水温上昇が１℃／分で、規定温度を４５℃とした場合では、規定温度までの運転時間ｔ１が４０分かかる。その後、規定温度での洗浄時間を継続時間α１とする。
【０００８】
また、水温４０℃の給水を洗浄開始時に温度検知手段で検出した際、規定温度までの運転時間ｔ４が５分となり、その後の規定温度での洗浄時間を継続運転時間α４となる。
【０００９】
この方法により、規定温度までの所要時間がｔ１＞ｔ４であるため継続運転時間をα１＜α４と変更することで水温差による過剰運転を抑制し、消費電力の削減をおこない、洗浄機器としての寿命を無駄に短くしないようにすることができる。
【特許文献１】特開平５−２９３０７２号公報
【発明の開示】
【発明が解決しようとする課題】
【００１０】
しかしながら、上述した食器洗い機では、水温差による運転時間の抑制、最適化ができるものの、洗浄時間における水圧や流量がポンプモータの安定動作が必要であるが、単相誘導モータによるポンプの場合では、入力される商用電源の電圧が家庭では周囲の家電機器の影響により変動するためポンプモータの水圧、流量が安定しないため、運転時間を同じとしても洗浄度に差が発生するという課題があった。
【００１１】
本発明は、前記従来の課題を解決するもので、商用電源電圧や周波数、ポンプモータの回転数を検出する検出手段を設けることで、電圧低下やモータの回転数低下に応じて運転時間を継続し、洗浄度を安定化させることで常に利用者に同じ洗浄仕上がりを提供し、洗浄時間の残時間と延長時間を表示することで利用者に動作時間の延長と残り時間を通知することで利用者に動作状況を提供することを目的とする。
【課題を解決するための手段】
【００１２】
上記課題を解決するために、本発明においては、食器を収納する洗浄槽と、加圧水を洗浄槽内に供給するポンプと、ポンプを駆動する単相誘導モータと、乾燥をおこなう乾燥手段とを有し、洗浄槽内に設けられたノズルから温水または供給水を加圧、噴射して食器の洗浄、すすぎをおこない、乾燥手段で乾燥をおこなう食器洗い乾燥機において、単相誘導モータに入力される商用電源電圧を検出する電圧検出手段と、洗浄行程スタート後、前記単相誘導モータが動作開始した後に前記電圧検出手段が入力電圧を計測し、定格電圧との比較で高低に応じて、あらかじめ設定している洗浄運転時間を、前記検出電圧が低いほど長めに、前記検出電圧が高いほど短めに、所定の時間に設定する制御手段とを備える構成とした。
【００１３】
これによって、電圧検出手段が単相誘導モータに入力される電圧を計測し、その電圧が定格電圧と比較して、高低に応じて制御手段は、洗浄運転時間を設定することで、単相誘導モータを駆動源とする洗浄ポンプの水圧や流量を考慮して洗浄時間を変えることで洗浄度合いを安定しておこなうことができる。
【発明の効果】
【００１４】
以上で説明したように、本発明によれば、単相誘導モータに入力される一般家庭の商用電源電圧が変動した場合に、電圧検出手段が入力電圧を計測し、制御手段がその計測電圧と定格電圧との比較をおこない、低い場合には、洗浄運転時間を長く、高い場合には、洗浄運転時間を短めに洗浄運転時間を設定することで、洗浄に必要な水圧を補う流量を時間で補正することができ、洗浄度合いを安定化することができ、使用者に常に同じ洗浄仕上がりを提供することができる。また、安定した洗浄度合いを提供するために無駄な洗浄運転をすることがなく、省エネ性能の向上ができる。
【発明を実施するための最良の形態】
【００１５】
第１の発明は、食器を収納する洗浄槽と、加圧水を洗浄槽内に供給するポンプと、ポンプを駆動する単相誘導モータと、乾燥をおこなう乾燥手段とを有し、洗浄槽内に設けられたノズルから温水または供給水を加圧、噴射して食器の洗浄、すすぎをおこない、乾燥手段で乾燥をおこなう食器洗い乾燥機において、単相誘導モータに入力される商用電源電圧を検出する電圧検出手段と、洗浄開始後、前記単相誘導モータが動作開始した後に前記電圧検出手段が入力電圧を計測し、定格電圧との比較で高低に応じて、あらかじめ設定している洗浄運転時間を、前記検出電圧が低いほど長めに、前記検出電圧が高いほど短めに、所定の時間に設定する制御手段とを備えることにより、前記制御手段は、入力電圧と定格電圧との比較から洗浄運転時間の調整をおこなう。
【００１６】
これによって、単相誘導モータに入力される一般家庭の商用電源電圧が変動した場合に、電圧検出手段が入力電圧を計測し、制御手段がその計測電圧と定格電圧との比較をおこない、低い場合には、洗浄運転時間を長く、高い場合には、洗浄運転時間を短めに洗浄運転時間を設定することで、洗浄に必要な水圧を補う流量を時間で補正することができ、洗浄度合いを安定化することができ、使用者に常に同じ洗浄仕上がりを提供することができる。また、安定した洗浄度合いを提供するために無駄な洗浄運転をすることがなく、省エネ性能の向上ができる。
【００１７】
第２の発明は、食器を収納する洗浄槽と、加圧水を洗浄槽内に供給するポンプと、ポンプを駆動する単相誘導モータと、乾燥をおこなう乾燥手段とを有し、洗浄槽内に設けられたノズルから温水または供給水を加圧、噴射して食器の洗浄、すすぎをおこない、乾燥手段で乾燥をおこなう食器洗い乾燥機において、単相誘導モータに入力される商用電源電圧を検出する電圧検出手段と、単相誘導モータの回転数を検出する回転数検出手段と、洗浄開始後、前記単相誘導モータが動作開始した後に前記電圧検出手段が入力電圧を計測し、定格電圧との比較で一定電圧以下の場合に、前記回転数検出手段が単相誘導モータの回転数を計測し、前記検出回転数が定格回転数より低い場合に、あらかじめ設定している洗浄運転時間を長めに、所定の時間に設定する制御手段を備えることにより、前記制御手段は、入力電圧が定格電圧よりも一定以下の場合に、回転数検出手段で単相誘導モータの回転数を計測し、定格回転数との比較から洗浄運転時間の調整をおこなう。
【００１８】
これによって、前記制御手段は、単相誘導モータに入力される一般家庭の商用電源電圧が変動した場合であっても単相誘導モータの入力電圧と回転数からより正確に洗浄に必要な水圧を補う流量を洗浄運転時間で補正することができ、洗浄度合いをより安定化することができる。
【００１９】
第３の発明は、特に、第１または第２の発明において、前記電圧検出手段が、商用電源の周波数を検出する周波数検出手段を備えることにより、前記周波数検出手段で５０Ｈｚか６０Ｈｚであるかを判定し、低い周波数の場合に洗浄運転時間をさらに長めに、制御手段で所定の時間に設定する。
【００２０】
これによって、単相誘導モータに入力する商用電源の周波数が異なる場合であっても、洗浄ポンプの水圧や流量を洗浄運転時間で補正することができる。
【００２１】
第４の発明は、特に第１から第３のいずれかの発明において、前記電圧検出手段で計測する電圧を洗浄運転中に定期的におこなう定期検出手段を備えることにより、前記定期検出手段の計測電圧が変動する場合に、計測電圧の最小電圧値を電圧検出手段の電圧値として制御手段で所定の時間に設定する。
【００２２】
これによって、洗浄運転中に機器内部、外部にかかわらない要因で電圧変動がある場合に、電圧低下の最小電圧値による洗浄運転時間の補正をすることで、必要最低限な洗浄度合いを必ず提供することができる。
【００２３】
第５の発明は、特に第１から第４のいずれかの発明において、制御手段が洗浄運転時間を所定の時間に設定した際に、設定時間の変更を通知する表示をおこなう通知手段を備えることにより、前記通知手段が使用者に洗浄運転時間の変更を通知する。
【００２４】
これによって、使用者が洗浄運転時間の変更を容易に知ることができ、利便性に優れている。
【００２５】
第６の発明は、特に第１から第５のいずれかの発明において、通知手段が、洗浄の残時間と延長時間を交互に表示する切換表示手段を備えることにより、前記切替表示手段が使用者に洗浄運転時間の残時間と変更による延長時間を交互に切替えて通知する。
【００２６】
これによって、使用者が洗浄運転時間の残時間とどの程度延長されたかを容易に知ることができ、利便性をさらに向上することができる。
【００２７】
以下、本発明の実施の形態について、図面を参照しながら説明する。なお、この実施の
形態によって本発明が限定されるものではない。
【００２８】
（実施の形態１）
図１は本発明の実施の形態１の食器洗い乾燥機の構成図を示すものである。
【００２９】
図１において、食器洗い乾燥機１０は、食器を収納する洗浄槽２１と、その洗浄槽２１に給水栓３１から水を給水し、その水を吐出２３１または洗浄槽２１内の水を排水２３２するポンプ２３と、そのポンプ２３を駆動する単相誘導モータ２４があり、その単相誘導モータ２４の電源は商用電源入力３２から供給する。
【００３０】
また、商用電源入力３２から供給する電源の電圧検出する電圧検出手段１２と、周波数を検出する周波数検出手段１３と、その電圧検出手段１２の電圧を定期的に測定する定期電圧検出手段１５と、単相誘導モータ２４の回転数を検出する回転数検出手段１４と、これらの入力から単相誘導モータ２４と、状態を示す通知手段１６と、その表示を切り替える切換表示手段１７とを制御する制御手段１１と、洗浄槽２１内の食器を乾燥する乾燥手段２２とから構成する。
【００３１】
図２は、一般家庭において、例えば食器洗い乾燥機１０の商用電源入力３２の電源電圧変動１を示したものである。縦軸は商用電源入力３２の電圧を示し、電圧検出手段１２で検出する電圧と同じである。横軸は、時間経過を示しており、食器洗い乾燥機１０が停止状態から食器洗いをおこない、終了後に停止するまでの洗浄運転時間３を示している。
【００３２】
洗浄中における最低電圧２は、洗浄時に定期検出手段１５が、定期的に電圧検出手段１２の電圧を測定することで時間経過中における最低電圧となった場合を示している。
【００３３】
図３は、食器洗い乾燥機１０のポンプ２３の洗浄における流量―水圧特性（以下ＱＨ特性として示す）を示すものである。縦軸にポンプ２３の水圧（ｋＰａ）を示し、横軸はポンプ２３の流量（Ｌ／分）を示している。
【００３４】
ＱＨ特性１Ａは、商用電源入力３２の電圧が定格電圧１００Ｖ、６０Ｈｚのときの特性を示している。ＱＨ特性２Ａは、商用電源入力３２の電圧が低電圧９０Ｖ、６０Ｈｚのときの特性を示し、ＱＨ特性３Ａは、商用電源入力３２の電圧が高電圧１１０Ｖ、６０Ｈｚのときの特性を示している。
【００３５】
動作点４Ａは、商用電源入力３２の電圧が定格電圧１００Ｖ、６０Ｈｚのときの流量３０Ｌ／分の時の水圧３４（ｋＰａ）を示している。動作点５Ａは、商用電源入力３２の電圧が低電圧９０Ｖ、６０Ｈｚのときの流量３０Ｌ／分の時の水圧３２（ｋＰａ）を示し、ＱＨ特性３Ａは、商用電源入力３２の電圧が高電圧１１０Ｖ、６０Ｈｚのときの流量３０Ｌ／分の時の水圧３６（ｋＰａ）を示している。
【００３６】
ＱＨ特性１Ａ１は、商用電源入力３２の電圧が定格電圧１００Ｖ、５０Ｈｚのときの特性を示している。ＱＨ特性２Ａ１は、商用電源入力３２の電圧が低電圧９０Ｖ、５０Ｈｚのときの特性を示し、ＱＨ特性３Ａ１は、商用電源入力３２の電圧が高電圧１１０Ｖ、５０Ｈｚのときの特性を示している。
【００３７】
動作点４Ａ１は、商用電源入力３２の電圧が定格電圧１００Ｖ、５０Ｈｚのときの流量３０Ｌ／分の時の水圧３４（ｋＰａ）を示している。動作点５Ａ１は、商用電源入力３２の電圧が低電圧９０Ｖ、５０Ｈｚのときの流量３０Ｌ／分の時の水圧３２（ｋＰａ）を示し、ＱＨ特性３Ａ１は、商用電源入力３２の電圧が高電圧１１０Ｖ、５０Ｈｚのときの流量３０Ｌ／分の時の水圧３６（ｋＰａ）を示している。
【００３８】
次に、このような構成の食器洗い乾燥機１０の動作、作用について説明する。
【００３９】
まず、食器洗い乾燥機１０が、電源入力として商用電源入力３２から単相誘導モータ２４に電源供給し、洗浄用に給水栓３１から水をポンプ２３に給水する。この時点では停止状態であるため商用電源電圧は定格電圧１００Ｖを維持している。
【００４０】
次に、制御手段１１から動作開始指令により単相誘導モータ２４が回転を開始し、ポンプ２３を駆動する。ポンプ２３の駆動により給水された水が洗浄槽２１内に吐出２３１される。徐々に流量が増加し、一定回転数で単相誘導モータ２４が回転する。その後、洗浄運転時間３の終了まで、ポンプ２３による洗浄槽２１内への洗浄動作をおこなし、終了後、単相誘導モータ２４を停止させ、洗浄槽２１内に貯まった洗浄水を排水２３２させるために、単相誘導モータ２４を逆回転させ排水をおこない、一定量以下になれば単相誘導モータ２４を停止させる。
【００４１】
この洗浄開始から洗浄終了までの洗浄運転時間３の間、商用電源入力３２に電圧を電圧検出手段１２を利用して定期的に定期検出手段１５で計測し、その電圧変化を制御手段１１で把握する。電圧検出手段１２の電圧が定格電圧を下回っている場合は、図２に示すように仕事率（ＱＨ特性の流量と水圧の積）が定格電圧時の動作点４Ａから動作点５Ａに低下するため、洗浄運転時間３における仕事量も低下する。そのため仕事率の低下した率だけ洗浄運転時間３を延長するように制御手段１１がおこなう。延長時間は、定期検出手段１５で計測した複数回の電圧値から最低電圧値２を用い、その時の仕事率から算出する。
【００４２】
また、電圧検出手段１２での計測電圧が定格電圧よりも高い場合、洗浄運転時間３を短縮する。短縮方法は、電圧が低い場合と同じで、図２に示すように仕事率（ＱＨ特性の流量と水圧の積）が定格電圧時の動作点４Ａから動作点６Ａに増加するため、洗浄運転時間３における仕事量も増加し、仕事率の増加した率だけ洗浄運転時間３を短縮するように制御手段１１がおこなう。
【００４３】
その時、使用者が洗浄運転時間３の延長がされたかどうかを知るために通知手段１６で延長の表示を示す。また、使用者に洗浄運転時間３と延長した時間を明確に通知するために洗浄運転時間３の表示と追加で延長した延長時間の表示を切換表示手段１７で切り換えて表示をする。
【００４４】
例えば、洗浄運転時間６０分とした場合、定格電圧時は動作点４Ａでの仕事率を３０（Ｌ／分）×３４（ｋＰａ）＝１０２０（実際の単位では１７Ｗ）とすると、電圧９０Ｖでは、９６０（実際の単位では１６Ｗ）、電圧１１０Ｖでは、１０８０（実際の単位では１８Ｗ）となり、電圧低下時は洗浄運転時間３は、約６％延長し、電圧上昇時は約６％短縮する。通知手段１６では、洗浄運転時間３を６４分と延長時間４分を示し、合計の洗浄運転時間６４分の内、４分が延長時間であることを切換表示手段１７により交互に切り替えて表示する。また、短縮時は洗浄運転時間３を５７分、短縮時間３分として表示する。
【００４５】
また、洗浄運転開始後に、電圧検出手段１２で定格電圧より低い電圧を検出し、その際に単相誘導モータ２４の回転数を回転数検出手段１４で計測し、回転数があらかじめ決めている一定回転数を下回っている場合には、回転数に応じて洗浄運転時間を延長するように制御手段１１が制御をおこなう。その場合の通知手段１６および切換表示手段１７の動作は、前記の電圧低下および電圧上昇時の動作と同じであるので省略する。
【００４６】
また、商用電源入力３２の周波数が地域において５０Ｈｚまたは６０Ｈｚであり、単相誘導モータ２４およびポンプ２３は、周波数により回転数もＱＨ特性も異なり、図３のよ
うに動作点も周波数によって大幅に変わるため、周波数検出手段１３で周波数を検出し、周波数による洗浄運転時間３の延長をおこなう。ここでは、６０ＨｚのＱＨ特性１Ａ、２Ａおよび３Ａを基準にし、５０Ｈｚの場合ではＱＨ特性１Ａ１、２Ａ１および３Ａ１のように低下するため洗浄運転時間３は延長する動作とする。
【００４７】
延長時間の補正は、図３の動作点４Ａと動作点４Ａ１との差に応じて延長時間を算出し、その算出方法は、前記の電圧低下および電圧上昇時の動作と同じであるので省略する。
【００４８】
従って、電源周波数が５０Ｈｚで動作時の電圧値９０Ｖの場合は、周波数と電圧による洗浄運転時間の延長補正をおこなう。
【００４９】
ここで給水栓３１を外部の給水としているが食器洗い乾燥機１０に給水タンクを設け、その内部に給水した水を貯水し、洗浄槽２１に吐出した水を循環させて洗浄する方法としても同じである。
【００５０】
ここでは、商用電源電圧を定格電圧１００Ｖと示して説明したが、定格電圧が２２０Ｖ、２００Ｖ、１１０Ｖであっても動作は同様のことである。
【００５１】
また、商用電源周波数を６０Ｈｚを基準にして５０Ｈｚ時に延長すると説明したが、５０Ｈｚを基準にして、６０Ｈｚ時に短縮することであっても同じである。さらに周波数が定格周波数として５０Ｈｚ、６０Ｈｚ以外の周波数であっても周波数検出手段１３で判断する周波数をあらかじめ決めておくことで動作を同じとすることができる。
【００５２】
なお、通知手段１６は、使用者に延長動作を通知するものであればブザー、ランプ、ＬＥＤ、液晶等の画面表示による文字表示、音声合成による音声通知であってもよい。なお、洗浄運転時間および延長時間を交互に表示する場合は、時間が確認できる７セグＬＥＤまたは液晶党の画面表示、音声合成による音声通知であってもよい。
【産業上の利用可能性】
【００５３】
以上のように、本発明にかかる食器洗い乾燥機は、単相誘導モータを使用し簡単な回路構成と低コスト化をおこなった構成でありながら、家庭電源の電圧変動しやすい環境でも安定した洗浄度合いを維持することができる。さらに電圧上昇時には最適な洗浄時間でおこなうことで余分な電力、時間を削減することができる。
【００５４】
これは家庭用の単相誘導モータを使用した洗浄ポンプに利用するだけでなく、産業用途で使用する単相誘導モータを用いたポンプなどの設備機器への用途にも適用できる。
【図面の簡単な説明】
【００５５】
【図１】本発明の実施の形態１の食器洗い乾燥機の構成図
【図２】本発明の実施の形態１の食器洗い乾燥機の洗浄運転時の入力電圧変化図
【図３】本発明の実施の形態１の食器洗い乾燥機の流量―水圧特性図
【図４】従来の食器洗い機の運転時間の設定を表した図
【図５】従来の食器洗い機の水温―運転時間の動作図
【符号の説明】
【００５６】
１  電源電圧変動波形
２  最低電圧値
３  洗浄運転時間
１０  食器洗い乾燥機
１１  制御手段
１２  電圧検出手段
１３  周波数検出手段
１４  回転数検出手段
１５  定期検出手段
２１  洗浄槽
２２  乾燥手段
２３  ポンプ
２３１  吐出
２３２  排水
２４  単相誘導モータ
３１  給水栓
３２  商用電源入力
１Ａ  定格電圧１００Ｖ、６０ＨｚでのＱ−Ｈ特性
１Ａ１  定格電圧１００Ｖ、５０ＨｚでのＱ−Ｈ特性
２Ａ  電圧９０Ｖ、６０ＨｚでのＱ−Ｈ特性
２Ａ１  電圧９０Ｖ、５０ＨｚでのＱ−Ｈ特性
３Ａ  電圧１１０Ｖ、６０ＨｚでのＱ−Ｈ特性
３Ａ１  電圧１１０Ｖ、５０ＨｚでのＱ−Ｈ特性
４Ａ  定格電圧１００Ｖ、６０Ｈｚで、流量３０Ｌ／分での水圧（動作点）
４Ａ１  定格電圧１００Ｖ、５０Ｈｚで、流量３０Ｌ／分での水圧（動作点）
５Ａ  電圧９０Ｖ、６０Ｈｚで、流量３０Ｌ／分での水圧（動作点）
５Ａ１  電圧９０Ｖ、５０Ｈｚで、流量３０Ｌ／分での水圧（動作点）
６Ａ  電圧１１０Ｖ、６０Ｈｚで、流量３０Ｌ／分での水圧（動作点）
６Ａ１  電圧１１０Ｖ、５０Ｈｚで、流量３０Ｌ／分での水圧（動作点）
ｔ１、ｔ２、ｔ３、ｔ４、ｔ５  給水温度毎の規定水温までの所要時間（分）
α１、α２、α３、α４、α５  給水温度毎の継続運転時間（分）
【図１】
2010142321.tif 000003
【図２】
2010142321.tif 000004
【図３】
2010142321.tif 000005
【図４】
2010142321.tif 000006
【図５】
2010142321.tif 000007